(57)【要約】      （修正有）【課題】簡単に実施できて作業性に優れるコンクリート供試体用の記録票の製作方法を提供する。【解決手段】供試体を成形する際に使用される型枠の内周面に対峙させる記録票１の表面側に設けられる記載部２１に必要な情報を記入する工程と、記載部に霧状のコーティング材３１を噴霧して被覆する工程からなる。コーティング材には、ウレタン系被膜材を使用することができる。【選択図】図１
2015141188.tif 000002
【特許請求の範囲】
【請求項１】
コンクリート供試体に関する情報が記載されるコンクリート供試体用の記録票の製作方法であって、
前記コンクリート供試体を成形する際に使用される型枠の内周面に対峙させる前記記録票の表面側に設けられる記載部に前記情報を記入する工程と、
前記記載部に霧状又は液状のコーティング材を噴霧又は塗布して被覆する工程とを備えたことを特徴とするコンクリート供試体用の記録票の製作方法。
【請求項２】
前記コーティング材は、ウレタン系被膜材であることを特徴とする請求項１に記載のコンクリート供試体用の記録票の製作方法。
【発明の詳細な説明】
【技術分野】
【０００１】
本発明は、コンクリートの品質管理に必要な事項などの情報が記載されるコンクリート供試体用の記録票の製作方法に関するものである。
【背景技術】
【０００２】
建設現場などで打設される生コンクリートは、所定の品質が確保されているか否かを確認する目的で一部が抜き取られて供試体に成形されて、圧縮強度試験などの品質確認試験が行われる。
【０００３】
そして、試験用に成形されるコンクリート供試体には、採取されたコンクリートが使用された箇所や打設時の生コンクリートの状態が容易に特定できるように、記録票が貼り付けられる（特許文献１−３など参照）。
【０００４】
例えば特許文献１，２に開示された記録票は、供試体を成形する際に使用される型枠側の面が透明フィルムで覆われており、記載された情報が読み取れるようになっている。
【０００５】
また、透明フィルムで情報の記載部を覆うことで、生コンクリートのペーストが記載部に付着したり、記載部に記載された情報が水等で消失したりすることから物理的に保護することができる。
【０００６】
さらに、特許文献３では、周縁に接着部が設けられたネームラベルの表面を、接着部で接合させたクリアシートによって覆うことで、生コンクリートがネームラベルに付着することを防止している。
【先行技術文献】
【特許文献】
【０００７】
【特許文献１】特開２０１２−２１１８５３号公報
【特許文献２】特開２００６−１０５９４９号公報
【特許文献３】特開２００４−６１２６６号公報
【発明の概要】
【発明が解決しようとする課題】
【０００８】
しかしながら特許文献１−３に開示された記録票では、透明フィルムやクリアシートを別部材として用意しなければならない。また、透明フィルムを予め記録票と一体にしておく場合は、記載部との間に剥離紙を介在させるなど製作に手間がかかる。
【０００９】
また、記載部に透明フィルムを貼り付けたり、ネームプレートの接着部にクリアシートを貼り付けたりする際には、空気が介在されたり皺ができたりしないように、慎重に貼り付け作業を行う必要がある。
【００１０】
そこで、本発明は、簡単に実施できて作業性に優れているコンクリート供試体用の記録票の製作方法を提供することを目的としている。
【課題を解決するための手段】
【００１１】
前記目的を達成するために、本発明のコンクリート供試体用の記録票の製作方法は、コンクリート供試体に関する情報が記載されるコンクリート供試体用の記録票の製作方法であって、前記コンクリート供試体を成形する際に使用される型枠の内周面に対峙させる前記記録票の表面側に設けられる記載部に前記情報を記入する工程と、前記記載部に霧状又は液状のコーティング材を噴霧又は塗布して被覆する工程とを備えている。
【００１２】
ここで、前記コーティング材には、ウレタン系被膜材を使用することができる。
【発明の効果】
【００１３】
このように構成された本発明のコンクリート供試体用の記録票の製作方法は、記載部に情報を記入した後に、コーティング材を噴霧又は塗布することで記載部を被覆させる。
【００１４】
このため、保護用の透明フィルムを用意しておく必要がなく、簡単に実施することができる。また、記入後にコーティング材を噴霧又は塗布するだけで記載部が被覆されて保護されるため、作業性に優れている。
【００１５】
また、ウレタン系被膜材であれば乾燥が早いため、噴霧又は塗布後にすぐに記録票を使用することができる。さらに、ウレタン系被膜材は、容易に入手することができるので、支障なく実施することができる。
【図面の簡単な説明】
【００１６】
【図１】本発明の実施の形態のコンクリート供試体用の記録票の製作方法を説明する図であって、（ａ）はコンクリート供試体の情報を記入した記録票にコーティング材を噴霧している状態を示した斜視図、（ｂ）は（ａ）のＡ−Ａ矢視方向で見たコーティング材噴霧後の模式的な断面図である。
【図２】記録票の構成を示した図であって、（ａ）は表面側から見た図、（ｂ）は裏面側から見た図である。
【図３】複数の記録票を備えた記録票シートの構成を示した平面図である。
【図４】（ａ）はコンクリート供試体を製作するために型枠の内周面に記録票を手で押し付けている状態を示す説明図、（ｂ）はコンクリートが打ち上がってきたことで記録票が押さえられて安定したため手を離した状態を示す説明図である。
【図５】型枠内にコンクリートが充満された状態を示す断面図である。
【図６】図５の記録票周辺を拡大して模式的に示した説明図である。
【図７】コンクリート供試体の側面に記録票が貼り付けられた状態を示した斜視図である。
【発明を実施するための形態】
【００１７】
以下、本発明の実施の形態について図面を参照して説明する。図１は、本実施の形態のコンクリート供試体用の記録票１の製作方法を説明する図である。また、図２は、図１の工程に入る前の記録票１の構成を示した図である。
【００１８】
ここで、図２（ａ）は、後述する円筒状の型枠９の内周面に対峙させる記録票１の表面側を見た図である。一方、図２（ｂ）は、供試体１０となるコンクリートが充填される記録票１の裏面側を見た図である。
【００１９】
まず、記録票１の構成について説明すると、表面側に設けられる記載層２と、記載層２を被覆するコーティング層３と、裏面側に設けられる密着層４とを主に備えている。
【００２０】
記載層２は、コンクリートの品質に関する所定事項などの情報が印刷や記入等される記載部２１を表面に有している。そして、記載層２の裏面側が密着層４となる。
【００２１】
このため、記載層２と密着層４とを一枚のシートの表裏によって形成する場合は、コンクリートに対して耐性のある材料を使用する必要がある。すなわちコンクリートはアルカリ性であるため、耐アルカリ性、耐水性を有する化学合成紙によって記載層２を形成する。例えば「ＹＵＰＯ＃８０」（マルウ接着剤株式会社製）などを使用することができる。
【００２２】
また、記載層２が化学合成紙であれば、４週間以上の水中養生浸漬後も記入文字及び紙質に変化を生じさせないため、文字が鮮明で読みやすく、写真に写すこともできる。
【００２３】
さらに、紙質が変化しにくいので、コーティング層３との接着が強く維持され、養生中に記録票１が供試体１０から剥がれにくいものとなる。また、記載層２として化学合成紙を用いることにより、引張強度が高いものとなり、通常では破損しにくいものとなる。
【００２４】
そして、このような取扱・記録保存がしやすいという利点によって、コンクリート品質管理記録として信頼性を高めることができる。ここで、記載層２の記載部２１には、現場で打設されたコンクリートの品質を管理する上で必要な所定事項（事業主体、工事名、コンクリート打設場所、立合人の氏名、コンクリートの採取日、スランプ試験値、採取したコンクリートの空気量、温度、塩分など）が情報として記載される。
【００２５】
この記載層２は、さらにその表面側からコーティング層３によって覆われる（図１（ｂ）参照）。記載層２の少なくとも記載部２１をコーティング層３で被覆することによって、生コンクリートのペーストが記載部２１に付着したり、記載部２１に記載された情報が水等で消失したりすることから物理的に保護することができる。
【００２６】
すなわち、コーティング層３により記載層２の記載部２１が保護されていれば、供試体１０を製作するために型枠９内に生コンクリートを打設して養生する際や、脱型して得られた記録票１が貼り付けられた供試体１０を水中養生等する際にも、記載部２１の記載事項が読み取れなくなったり消失したりすることがない。
【００２７】
このようなコーティング層３には、耐アルカリ性、耐水性を示し、型枠９の内周面９ｂに密着しやすい材質のものが望ましい。コーティング層３は、図１（ａ）に示すようにコーティング材３１を噴霧することによって形成することができる。
【００２８】
なお、コーティング層３の形成方法は噴霧に限定されるものではなく、液状のコーティング材を塗布することによっても形成することができる。
【００２９】
このようなコーティング材３１には、例えばウレタン系被膜材を使用することができる。ウレタン系被膜材としては、主剤と硬化剤との２液を混合することで被膜に形成される２液型ウレタン系被膜材がある。
【００３０】
この２液型ウレタン系被膜材は、例えばポリイソシアネートなどのイソシアネート化合物を含有する主剤と、イソシアネート基と反応性のある多官能活性水素化合物を含有する硬化剤とからなる。
【００３１】
主剤に含有するイソシアネート化合物としては、イソシアネート基末端プレポリマー、低分子量のポリイソシアネート化合物等が使用できる。イソシアネート基末端プレポリマーとしては、トリレンジイソシアネート（ＴＤＩ）、ジフェニルメタンジイソシアネート（ＭＤＩ）、ポリメリックＭＤＩ、カルボジイミド等で変性されたＭＤＩ等のポリイソシアネート化合物と、ポリエーテルポリオール、ポリエステルポリオール、ポリブタジエンポリオール等のポリオールとの反応によって得られるものなどが使用できる。
【００３２】
また、ポリエーテルポリオールとしては、エチレンオキシド、プロピレンオキシド、ブチレンオキシド等の１種以上を付加重合して得られるポリエーテルポリオール、テトラヒドロフランを開環重合して得られるポリテトラメチレンエーテルグリコール等が使用できる。
【００３３】
さらに、ポリエステルポリオールとしては、エチレングリコール、プロピレングリコール、ブタンジオール、ペンタンジオール、ヘキサンジオール、グリセリン、トリメチロールプロパン、その他の低分子ポリオールの１種以上と、グルタル酸、アジピン酸、セバシン酸、テレフタル酸、イソフタル酸、ダイマー酸、又はその他の低分子ジカルボン酸やオリゴマー酸の１種以上との縮合重合、カプロラクトン等を開環重合して得られるポリエステルポリオール等が使用できる。
【００３４】
また、ＭＤＩ、ポリメリックＭＤＩ、カルボジイミド等で変性されたＭＤＩといった低分子量ポリイソシアネートは、イソシアネート基末端プレポリマー化して使用される以外に、ポリオールにより部分プレポリマー化して使用したり、プレポリマー化せずに単独で使用したりすることもできる。
【００３５】
上述してきた中で、例えば２液型ウレタン系被膜材の主剤としては、ＴＤＩとポリオキシプロピレンポリオールとのイソシアネート基末端プレポリマーであるものが使用できる。
【００３６】
一方、硬化剤に含有させる多官能活性水素化合物としては、４，４′−ジアミノ−３，３′−ジクロロジフェニルメタン（ＭＯＣＡ）、ジエチルトルエンジアミン（ＤＥＴＤＡ）、ジメチルチオトルエンジアミン、４，４′−ジアミノ−３，３′−ジエチル−５，５′−ジメチルジフェニルメタン（ＭＥＤ）等のポリアミン、ポリエーテルポリオール、ポリエステルポリオール、ポリブタジエンポリオール等のポリオールなどが使用できる。
【００３７】
これらの化合物は、単独又は２種以上を組み合わせて用いることができる。ポリエーテルポリオール及びポリエステルポリオールは、主剤について例示したものを用いることができる。
【００３８】
また、硬化剤に用いる可塑剤としては、ウレタン系被膜材に通常用いられるものを使用することができる。例えば、ジイソノニルフタレート（ＤＩＮＰ）、ジオクチルフタレート（ＤＯＰ）、ブチルベンジルフタレート（ＢＢＰ）等のフタル酸エステル類、脂肪族二塩基酸エステル類、リン酸エステル類、トリメリット酸エステル類、セバシン酸エステル類、エポキシ脂肪酸エステル類、グリコールエステル類、動植物油系脂肪酸エステル類、石油・鉱物油系可塑剤、アルキレンオキシド重合系可塑剤等が使用できる。
【００３９】
さらに、硬化剤に用いる充填剤としては、炭酸カルシウム、酸化亜鉛、シリカ、タルク、カオリンクレー、ゼオライト、水酸化アルミニウム、ケイソウ土、硫酸バリウム、マイカ、ガラス繊維等が使用できる。
【００４０】
上述してきた中で、例えば２液型ウレタン系被膜材の硬化剤としては、ＤＥＴＤＡ、ジメチルチオトルエンジアミン、ＭＥＤ等の芳香族ポリアミンを含有するもの、ＭＯＣＡ等の芳香族ポリアミンとポリオキシアルキレンポリオール等のポリオールとオクチル酸鉛等の有機金属触媒を含有するもの、ポリオキシアルキレンポリオール、ポリエステルポリオール、ポリブタジエンポリオール等のポリオールとオクチル酸鉛やジブチル錫ラウレート等の有機金属触媒を含有するものなどが使用できる。
【００４１】
記録票１は、コンクリートが硬化して型枠９が取り外されたときには、図７に示すように供試体１０の側面（周面）の上方に貼り付けられた状態になる。そして、記載部２１の記載事項は、コーティング層３を通して表面側から読み取ることができる。
【００４２】
一方、記録票１の裏面側は、図２（ｂ）に示すように、密着層４となる。上述したように密着層４は、記載層２を形成する面材の裏面とすることができる。また、記載層２となる面材に密着層４となる面材を貼り合わせる構成であってもよい。
【００４３】
そして、密着層４には、図１（ｂ）及び図２（ｂ）に示すように、全面に接着剤４１を塗布する。この接着剤４１には、例えば中粘再剥離型のアクリル系溶剤（商品名「Ｒｔ−Ｈ」：マルウ接着剤株式会社製）などが使用できる。
【００４４】
以上のように構成される記録票１は、例えば図３に示すように、３枚を一組にして台紙７に貼り付けられて記録票シート１１として提供される。すなわち、密着層４に接着剤４１が塗布されているので、台紙７に貼り付けて提供することができる。
【００４５】
次に、本実施の形態のコンクリート供試体用の記録票１の製作方法及び使用方法、並びに作用について説明する。
【００４６】
まず、図３に示すように台紙７に貼り付けられた状態の記録票１の記載部２１にコンクリートの品質を管理するために必要な事項を記入する。この記入は、ペン等の筆記具によって手書きで行っても、印刷によって行ってもよい。
【００４７】
この記載部２１に必要事項を記入する際に、記載部２１に隣接して保護用の透明フィルムが予め取り付けられていると、透明フィルムを捲り、手で押さえながらの記入になるため煩雑になる。
【００４８】
これに対して本実施の形態の記録票１のように、記載層２の記載部２１が露出されている状態であれば、筆記具による記入も印刷による記入も容易に行うことができる。
【００４９】
そして、図１（ａ）に示すようにスプレー缶３０に入ったコーティング材３１を、記載部２１を含む記載層２に向けて噴霧する。このコーティング材３１の噴霧を記載層２に対してムラなく行うと、図１（ｂ）に示すように薄膜で透明なコーティング層３が記載層２の表面に形成されることになる。
【００５０】
このように記載部２１に情報を記入した後に、コーティング材３１を噴霧することでコーティング層３を形成して記載部２１を被覆させる方法であれば、保護用の透明フィルムなどを用意しておく必要がなく、簡単に実施することができる。
【００５１】
また、記載部２１に必要事項を記入後にコーティング材３１を噴霧するだけで記載部２１が被覆されて保護されるため、作業性に優れている。特に、２液型ウレタン系被膜材であれば、乾燥が早く、噴霧後に短時間で記録票１を使用することができる。さらに、２液型ウレタン系被膜材は、市販されていて容易に入手することができるので、支障なく実施することができる。
【００５２】
続いて台紙７から剥がした記録票１を手に持って、図４（ａ）に示すように、コーティング層３側を型枠９の内周面９ｂに対峙させる向きにして、型枠９の上縁部９ａから内部に挿し込む。そして、密着層４側を手で押すことで、記録票１のコーティング層３で覆われた面を、対峙させた型枠９の内周面９ｂに押し付ける。
【００５３】
このように記録票１を手で型枠９の内周面９ｂに押し付けた状態で、図４（ｂ）に示すように型枠９の内部にコンクリートを充填していく。コンクリートが打ち上がってくると、記録票１の下方がコンクリートによって内周面９ｂに押し付けられることになるので、手を離すことができるようになる。
【００５４】
図５は、型枠９の内部にコンクリートを充満させて供試体１０となった状態を示した断面図である。この状態では記録票１は、コンクリート圧によって内周面９ｂに押し付けられて固定されている。
【００５５】
図６は、構成を説明するために図５の記録票１周辺を拡大して模式的に示した図である。この図に示すように、記録票１のコーティング層３が型枠９の内周面９ｂに密着した状態になっている。
【００５６】
一方、密着層４の接着剤４１とコンクリート成分が接触することで、接着力が発揮される。すなわち接着剤４１の接着力とセメントの付着力とによって、供試体１０の側面に記録票１を確実に付着させることができる。
【００５７】
以上、図面を参照して、本発明の実施の形態を詳述してきたが、具体的な構成は、この実施の形態に限らず、本発明の要旨を逸脱しない程度の設計的変更は、本発明に含まれる。
【００５８】
例えば、前記実施の形態では、コーティング材３１を噴霧する場合について説明したが、これに限定されるものではなく、溶液状のコーティング材を記載部２１に刷毛などで塗布する方法であってもよい。
【００５９】
また、前記実施の形態では、コーティング材３１として２液型ウレタン系被膜材について詳細に説明したが、これに限定されるものではなく、透明かつ耐アルカリ性及び耐水性が確保できる材料であって、噴霧又は塗布が可能なものであれば、いずれの材料であっても使用することができる。
【符号の説明】
【００６０】
１            記録票
２１          記載部
３            コーティング層
３１          コーティング材
９            型枠
９ｂ          内周面
１０          （コンクリート）供試体
【図１】
2015141188.tif 000003
【図２】
2015141188.tif 000004
【図３】
2015141188.tif 000005
【図４】
2015141188.tif 000006
【図５】
2015141188.tif 000007
【図６】
2015141188.tif 000008
【図７】
2015141188.tif 000009